(57)【要約】【課題】  映像信号出力装置／方法において、ＨＤＭＩ認証中にＨＤＭＩ信号の中断があったとき、ＨＤＭＩ認証の失敗を防止する。【解決手段】  映像信号出力装置／方法において、ＨＤＭＩ信号が出力されている状態にあるか否かを記憶し、ＨＤＭＩ認証し、入力されるホットプラグ信号レベルを検出し、ホットプラグ信号がＬｏｗであると検出されてＨＤＭＩ信号出力ありと記憶されている場合、ＨＤＭＩ認証を行わずにＨＤＭＩ信号を出力し、ホットプラグ信号がＨｉｇｈであると検出された後にＨＤＭＩ認証を行う。【選択図】      図１
2008227911.tif 000002
【特許請求の範囲】
【請求項１】
ＨＤＭＩ(High-Definition Multimedia Interface)信号が出力状態にあるか否かを記憶するメモリと、
ＨＤＭＩ認証を行うＨＤＭＩ処理部と、
ホットプラグ信号レベルを検出するホットプラグ検出部とを備え、
前記ホットプラグ検出部によってホットプラグ信号がＬｏｗであると検出されたとき前記メモリに記憶された出力状態が出力ありを示す場合、前記ＨＤＭＩ処理部はＨＤＭＩ認証を行わずにＨＤＭＩ信号を出力し、前記ホットプラグ検出部によってホットプラグ信号がＨｉｇｈであると検出された後に前記ＨＤＭＩ処理部はＨＤＭＩ認証を行う
ことを特徴とする映像信号出力装置。
【請求項２】
ＨＤＭＩ信号が出力されている状態にあるか否かを記憶するステップと、
ＨＤＭＩ認証を行うステップと、
ホットプラグ信号レベルを検出するステップと、
ホットプラグ信号がＬｏｗであると検出されてＨＤＭＩ信号出力ありと記憶されている場合、ＨＤＭＩ認証を行わずにＨＤＭＩ信号を出力するステップと、ホットプラグ信号がＨｉｇｈであると検出された後にＨＤＭＩ認証を行うステップと
を備えることを特徴とする映像信号出力方法。
【発明の詳細な説明】
【技術分野】
【０００１】
本発明は、映像信号を出力する映像信号出力装置及び方法に関する。
【背景技術】
【０００２】
ＨＤＭＩ(High-Definition Multimedia Interface)規格に準拠した映像信号出力装置について、図４、図５、図６に示す。図４は、従来からあるＨＤＭＩ規格に準拠した映像信号出力装置の構成例を示すブロック図である。図５は、図４に示した映像信号出力装置のＨＤＭＩ認証動作タイミングの例を示す図である。図６は、図４に示した映像信号出力装置がＨＤＭＩ認証に失敗する場合のＨＤＭＩ認証動作タイミングの例を示す図である。
【０００３】
図４において、映像信号出力装置２０に、ＨＤＭＩ接続確認に使用するためのホットプラグ信号が入力される。ホットプラグ判別部８は、入力されたホットプラグ信号を１／０情報信号に変換する。ＨＤＭＩ処理部２は、入力されたＥＤＩＤ(Extended Display Identification Data)信号を処理し、ＨＤＭＩ認証を行い、１／０情報信号に基づいて、ＨＤＭＩ信号を出力する。
ＥＤＩＤ信号は、映像表示装置が画面に表示可能又は入力可能な映像に関する情報と、入力可能な音声に関する情報、メーカー情報、製品情報を含み、ＶＥＳＡ(Video Electronics Standards Association)によって策定されたＥＤＩＤ規格に準拠し、ＥＩＡ(Electronic Industries Alliance)／ＣＥＡ(Consumer Electronics Association)−８６１Ｂ規格で規定された形式のデータである。
【０００４】
図５に示すように、接続開始され（ａ）、ホットプラグ信号入力がＬａｗからＨｉｇｈになるとホットプラグ判別部８が出力する１／０情報信号が０から１になって（ｂ）、ＨＤＭＩ処理部２は、ＨＤＭＩ認証を開始しＨＤＭＩ信号を出力する（ｃ）。
ＨＤＭＩ認証に失敗する場合、図６に示すように、接続開始され（ａ）、ホットプラグ信号入力がＬａｗからＨｉｇｈになるとホットプラグ判別部８が出力する１／０情報信号が０から１になって（ｂ）、ＨＤＭＩ認証を開始しＨＤＭＩ信号を出力するが（ｃ）、映像信号の映像フォーマットの切換えによるＨＤＭＩ信号の出力中断を検出したとき（ｄ、ｅ）、ホットプラグ信号をＬｏｗにしてしまう（ｆ）映像表示装置があった。ホットプラグ判別部８は、ＨＤＭＩ認証中にホットプラグ信号がＬｏｗであることを検出するとその１／０情報信号出力が１から０になるため（ｆ）、ＨＤＭＩ認証が中断される（ｇ）。
【０００５】
このように処理シーケンスの不整合が原因でＨＤＭＩ認証中にホットプラグ信号がＬｏｗになる場合、ＨＤＭＩ認証を再度行うと、「ホットプラグ信号Ｈｉｇｈ」→「ＨＤＭＩ認証」→「ホットプラグ信号Ｌｏｗ」→「ホットプラグ信号Ｈｉｇｈ」→「ＨＤＭＩ認証」→「ホットプラグ信号Ｌｏｗ」の繰返し(出力ＮＧ)になり、ＨＤＭＩ認証が失敗する。このような認証の失敗に対応するため、ＨＤＭＩ認証中にホットプラグ信号をＬｏｗにされた場合であっても、映像信号出力装置がＨＤＭＩ認証を行う３秒間、ホットプラグ信号検出を行わないようにして、「ホットプラグ信号Ｈｉｇｈ」→「ＨＤＭＩ認証」→「ホットプラグ信号Ｌｏｗ」(無視)→「ホットプラグ信号Ｈｉｇｈ」→「ＨＤＭＩ認証」(続き)→「ＨＤＭＩ認証完了」(出力ＯＫ)と動作させて、ＨＤＭＩ認証を確立させ、映像信号を正常に出力することができる装置があった(特許文献１参照)。
【０００６】
【特許文献１】特開２００６−２０３７２５号公報
【発明の開示】
【発明が解決しようとする課題】
【０００７】
特許文献１の装置では、ホットプラグ信号Ｈｉｇｈとされた後の３秒間に、映像表示装置がＥＤＩＤの書き換えや再認証を行う必要性が発生し、再度、ホットプラグ信号がＬｏｗからＨｉｇｈにされた場合、ホットプラグ信号の検出が行われないため無視されてＨＤＭＩ認証動作が継続され、映像表示装置が必要とするＨＤＭＩ認証が行われずに失敗してしまうことがあった。
【０００８】
本発明の目的は、映像信号出力装置及び方法において、ＨＤＭＩ信号の出力中断があってホットプラグ信号がＬｏｗになったとき、ＨＤＭＩ信号の出力を継続し、ホットプラグ信号がＨｉｇｈになった後にＨＤＭＩ認証を行うことにより、正常にＨＤＭＩ認証を行い映像信号を出力することにある。
【課題を解決するための手段】
【０００９】
本発明に係る映像信号出力装置は、ＨＤＭＩ(High-Definition Multimedia Interface)信号が出力状態にあるか否かを記憶するメモリと、ＨＤＭＩ認証を行うＨＤＭＩ処理部と、ホットプラグ信号レベルを検出するホットプラグ検出部とを備え、前記ホットプラグ検出部によってホットプラグ信号がＬｏｗであると検出されたとき前記メモリに記憶された出力状態が出力ありを示す場合、前記ＨＤＭＩ処理部はＨＤＭＩ認証を行わずにＨＤＭＩ信号を出力し、前記ホットプラグ検出部によってホットプラグ信号がＨｉｇｈであると検出された後に前記ＨＤＭＩ処理部はＨＤＭＩ認証を行うものである。
【００１０】
本発明に係る映像信号出力方法は、ＨＤＭＩ信号が出力されている状態にあるか否かを記憶するステップと、ＨＤＭＩ認証を行うステップと、ホットプラグ信号レベルを検出するステップと、ホットプラグ信号がＬｏｗであると検出されてＨＤＭＩ信号出力ありと記憶されている場合、ＨＤＭＩ認証を行わずにＨＤＭＩ信号を出力するステップと、ホットプラグ信号がＨｉｇｈであると検出された後にＨＤＭＩ認証を行うステップとを備える方法である。
【発明の効果】
【００１１】
本発明の映像信号出力装置によれば、ＨＤＭＩ認証中にＨＤＭＩ信号の中断があったとき、正常にＨＤＭＩ認証を確立させ映像信号を出力することができる。
【発明を実施するための最良の形態】
【００１２】
図１は、本発明の映像信号出力装置の実施例の構成を示すブロック図である。
映像信号出力装置１０は、ＥＤＩＤ情報検出部１、ＨＤＭＩ処理部２、ＨＤＭＩ出力検出部３、ホットプラグ検出部４、比較部５、メモリ入出力部６、及びメモリ７を備える。
ＥＤＩＤ情報検出部１は、接続されている映像表示装置やＡＶ(Audio Visual)アンプ装置などによって入力されるＥＤＩＤ信号からＥＤＩＤ情報を検出する。
ＨＤＭＩ処理部２は、ＥＤＩＤ情報検出部１が検出したＥＤＩＤ情報を処理し、ＨＤＭＩ認証を行い、後述する比較部５の比較結果に基づいて、ＨＤＭＩ信号を出力する。
ＨＤＭＩ出力検出部３は、ＨＤＭＩ処理部２のＨＤＭＩ信号出力が行われているか否かを検出しＨＤＭＩ出力検出情報を出力する。
ホットプラグ検出部４は、接続されている映像表示装置やＡＶアンプ装置から入力されるホットプラグ信号を検出する。
【００１３】
比較部５は、ＨＤＭＩ出力検出部３から入力されるＨＤＭＩ出力検出情報信号を、メモリ入出力部６に出力する。
メモリ入出力部６は、メモリ７へのＨＤＭＩ出力検出情報信号の書き込み、及びメモリ７に記憶したＨＤＭＩ出力検出情報の読み出しを行う。
比較部５は、ホットプラグ検出部４が検出したホットプラグ信号とメモリ７に記憶されメモリ入出力部６によって読み出されたＨＤＭＩ出力検出情報信号とを比較する。ＨＤＭＩ処理部３は、比較部５の比較結果に基づいて、ＨＤＭＩ信号を出力する。
【００１４】
比較部５の比較動作について詳述する。
ホットプラグ検出部４によってホットプラグ信号がＬｏｗからＨｉｇｈになったことが検出されると、比較部５は、メモリ入出力部６を介してメモリ７から現在のＨＤＭＩ信号出力状態を示すＨＤＭＩ出力検出情報を読み出す。
現在、ＨＤＭＩ信号が出力されていない場合、比較部５は、ＨＤＭＩ処理部２にＨＤＭＩ信号を出力させる。
ＨＤＭＩ出力検出部３においてＨＤＭＩ信号が出力されていることを検出することができたら、ＨＤＭＩ信号が出力されていることを示すＨＤＭＩ出力検出情報信号を、メモリ入出力部６を介してメモリ７に記憶し、少なくとも必要とする期間、記憶を保持する。
メモリ７への記憶後、ＨＤＭＩに対応した機器の接続、映像信号の入出力などが行われるかどうかを認証するＨＤＭＩ認証動作を開始する。次に、ホットプラグ検出部４において、ホットプラグ信号がＨｉｇｈからＬｏｗになったことが検出されると、ＨＤＭＩ信号を停止する必要がなければ、ＨＤＭＩ処理部２は、ＨＤＭＩ信号の出力を継続し、ＨＤＭＩ認証動作のみを中断する。
【００１５】
図２は、ＨＤＭＩ認証失敗を回避する場合の、本発明の映像信号出力装置の実施例のＨＤＭＩ認証動作タイミングを示す図である。接続開始され（ａ）、ホットプラグ信号入力がＬａｗからＨｉｇｈになるとホットプラグ検出部４が出力する１／０情報信号が０から１になって（ｂ）、ＨＤＭＩ認証を開始しＨＤＭＩ信号を出力する（ｃ）。
映像信号の映像フォーマットの切換えによるＨＤＭＩ信号の出力中断を検出したとき（ｄ、ｅ）、ホットプラグ信号入力をＬｏｗにしてしまっても（ｆ）、ＨＤＭＩ処理部２にＨＤＭＩ信号の出力を継続させ、ホットプラグ信号入力がＨｉｇｈになった後に（ｈ）、ＨＤＭＩ認証を再開する（ｉ）ことにより、映像フォーマット切換え後の条件に対応してＨＤＭＩ認証を確立させ、映像信号を正常に出力することができる。
【００１６】
図３は、本発明の映像信号出力方法の実施例の処理ステップを示すフローチャートである。
ＨＤＭＩ信号出力が行われているか否かを検出し、ＨＤＭＩ信号出力状態を示すＨＤＭＩ出力検出情報をメモリに記憶する(S1)。
ＨＤＭＩ認証を行い(S2)、ホットプラグ信号レベルＬｈを検出する(S3)。ＬｈがＬｏｗであり(S4でYES)、記憶したＨＤＭＩ信号の出力状態が出力ありであれば(S5でYES)、ＨＤＭＩ認証を行わずにＨＤＭＩ信号を出力する(S6)。S6の後、S3に戻って処理を繰り返す。
ＬｈがＨｉｇｈであるとき(S4でNO)、または記憶したＨＤＭＩ信号の出力状態が出力なしであれば(S5でNO)、ＨＤＭＩ認証を行う(S7)。終了になる(S8でYES)まで、S3に戻って処理を繰り返す。
【００１７】
以上説明したように、本実施形態では、ＨＤＭＩ信号の出力中断があってホットプラグ信号がＬｏｗになったとき、ＨＤＭＩ信号の出力を継続し、ホットプラグ信号がＨｉｇｈになった後にＨＤＭＩ認証を行う構成を備え、この構成により、正常にＨＤＭＩ認証を行い映像信号を出力することができるという効果を奏する。
従って、接続される映像表示装置やＡＶアンプなどから得られるホットプラグ信号のみを利用して、ＨＤＭＩ認証動作をスムーズに行うことができる。
【図面の簡単な説明】
【００１８】
【図１】本発明の映像信号出力装置の実施例の構成を示すブロック図である。
【図２】本発明の映像信号出力装置の実施例のＨＤＭＩ認証動作タイミングを示す図である。
【図３】本発明の映像信号出力方法の実施例の処理ステップを示すフローチャートである。
【図４】従来の映像信号出力装置の構成例を示すブロック図である。
【図５】従来の映像信号出力装置のＨＤＭＩ認証動作タイミングの例を示す図である。
【図６】従来の映像信号出力装置のＨＤＭＩ認証動作タイミングの例を示す図である。
【符号の説明】
【００１９】
１  ＥＤＩＤ情報検出部
２  ＨＤＭＩ処理部
３  ＨＤＭＩ出力検出部
４  ホットプラグ検出部
５  比較部
６  メモリ入出力部
７  メモリ
８  ホットプラグ判別部
１０、２０  映像信号出力装置
【図１】
2008227911.tif 000003
【図２】
2008227911.tif 000004
【図３】
2008227911.tif 000005
【図４】
2008227911.tif 000006
【図５】
2008227911.tif 000007
【図６】
2008227911.tif 000008